(57)【要約】      （修正有）【課題】アニメーションのキャラクタ、動物、植物、その他の生物及び架空の生物等のいずれかを模した形状を有する携帯用通信機器において、キャラクタの特徴またはイメージを崩さないように機能部品を配置した携帯用通信機器を提供する。【解決手段】携帯電話、ＰＨＳ等の携帯用通信機器であって、前記電話機能の他に付帯機能を具備した多機能携帯用通信機器における各機能部品を、アニメーションのキャラクタ、動物、植物、その他の生物及び架空の生物等の顔や体等を構成する各器官に対応させて配置する。【選択図】図１
2005101718.tif 000002
【特許請求の範囲】
【請求項１】
アニメーションのキャラクタ、動物、植物、その他の生物及び架空の生物等のいずれかを模した形状を有し、電話機能の他に付帯機能を具備した携帯電話、ＰＨＳ等の携帯用通信機器であって、該付帯機能を上記形状の顔や体等を構成する器官に対応させて配置したことを特徴とする携帯用通信機器。
【請求項２】
請求項１記載の携帯用通信機器において、アニメーションのキャラクタ、動物、植物、その他の生物及び架空の生物等のいずれかを模した形状に凸部を設け、付帯機能の一部又は全部を該凸部に納めたことを特徴とする携帯用通信機器。
【請求項３】
電話機能の他に付帯機能を具備した携帯電話、ＰＨＳ等の携帯用通信機器であって、アニメーションのキャラクタ、動物、植物、その他の生物及び架空の生物等の顔や体を構成する部位を付帯機能に必要な構成部品の位置に対応させて描画したことを特徴とする携帯用通信機器。
【請求項４】
アニメーションのキャラクタ、動物、植物、その他の生物及び架空の生物等のいずれかを模した形状を有し、電話機能の他に付帯機能を具備した携帯電話、ＰＨＳ等の携帯用通信機器用カバーであって、該カバーにおける顔や体を構成する部位と付帯機能に必要な構成部品の位置とを対応して配置したことを特徴とする着脱可能なカバー及びこれを取り付けた携帯用通信機器。
【請求項５】
アニメーションのキャラクタ、動物、植物、その他の生物及び架空の生物等のいずれかを模した形状を有し、電話機能の他に付帯機能を具備した携帯電話、ＰＨＳ等の携帯用通信機器用シールであって、該シールにおける顔や体を構成する部位と付帯機能に必要な構成部品の位置とを対応して配置したことを特徴とするシール及びこれを取り付けた携帯用通信機器。
【請求項６】
電話機能の他に付帯機能を具備した携帯電話、ＰＨＳ等の携帯用通信機器であって、アニメーションのキャラクタ、動物、植物、その他の生物及び架空の生物等の顔や体を構成する部位に対応できるように、付帯機能を配置したことを特徴とする携帯用通信機器。
【請求項７】
請求項１、請求項２、請求項４及び請求項５に記載の携帯用通信機器において、折りたたんだ状態の両面でアニメーションのキャラクタ、動物、植物、その他の生物及び架空の生物等のいずれかを表現したことを特徴とする携帯用通信機器。
【請求項８】
請求項１、請求項２、請求項４及び請求項５に記載の携帯用通信機器において、折りたたんだ状態でもアニメーションのキャラクタ、動物、植物、その他の生物及び架空の生物等のいずれかを模した形状を表現しており、さらに、表と裏の連続性を有することを特徴とする携帯用通信機器。
【発明の詳細な説明】
【技術分野】
【０００１】
この発明は、アニメーションのキャラクタ、動物、植物、その他の生物及び架空の生物等のいずれかを模した形状を有する電話機能の他に付帯機能を具備した携帯用通信機器に関する。
【背景技術】
【０００２】
従来、携帯電話、ＰＨＳ等の携帯用通信機器は、どれも機械的で類似した外形を備えていた。これに対し、動物等の形状を備えた携帯用通信機器の技術が、例えば特開２０００−２０２２２公報に開示されている。また、外形の一部を用いて、携帯用通信機器の形状を動物、植物、魚介類および架空の生物のいずれかを模した形状にしたことが特開２００３−２３４８０６公報に開示されている。
【特許文献１】特開２０００−２０２２２公報（図１）
【特許文献２】特開２００３−２３４８０６公報（図３）
【発明の開示】
【発明が解決しようとする課題】
【０００３】
しかしながら、携帯用通信機器は多機能化されており、現在では極当たり前の機能となっているカメラ機能の他に、赤外線リモコン機能、認証機能、メールアドレス交換機能等多機能化されており、今後益々多機能化が進むことが予想される。これらの多機能化に伴い、カメラ機能ではレンズ部、赤外線リモコン機能では発信部、認証機能では指紋センサ、メールアドレス交換機能では短距離送受信部等の機能部品を筐体の表面に配置する必要がある。
【０００４】
しかし、アニメーションのキャラクタ、動物、植物、その他の生物及び架空の生物等のいずれかを模した製品では前記機能部品を任意に配置してしまうと痘痕や疣のように見えてしまい、醜くなったり、イメージが悪くなってしまうという問題があった。また、痘痕や疣とならぬようこれらの機能部品を外した位置に上記形状を設けると、キャラクタの大きさはかなり制限されてしまうという問題があった。
【０００５】
本発明は、以上のような問題点に鑑みてなされたもので、その目的とする処は、電話機能の他に付帯機能を具備した携帯用通信機器の付帯機能に必要な構成部品の内、筐体の外部に露出した機能部品を該形状の顔や体等を構成する器官に対応させて配置して、イメージの良い携帯用通信機器を提供することにある。
【課題を解決するための手段】
【０００６】
このため、本発明においては、下記のいずれかに示す携帯用通信機器を提供することにより、前記目的を達成しようとするものである。
【０００７】
請求項１に記載の発明は、アニメーションのキャラクタ、動物、植物、その他の生物及び架空の生物等のいずれかを模した形状を有し、電話機能の他に付帯機能を具備した携帯電話、ＰＨＳ等の携帯用通信機器であって、付帯機能に必要な構成部品の内、筐体の外部に露出した部品を該形状の顔や体等を構成する器官に対応させて配置したことを特徴とする。
【０００８】
請求項２に記載の発明は、請求項１記載の携帯用通信機器において、アニメーションのキャラクタ、動物、植物、その他の生物及び架空の生物等のいずれかを模した形状に凸部を設け、付帯機能に必要な構成部品を該凸部に納めたことを特徴とする。
【０００９】
請求項３に記載の発明は、電話機能の他に付帯機能を具備した携帯電話、ＰＨＳ等の携帯用通信機器であって、アニメーションのキャラクタ、動物、植物、その他の生物及び架空の生物等の顔や体を構成する部位を付帯機能に必要な構成部品の位置に対応させて描画したことを特徴とする。
【００１０】
請求項４に記載の発明は、アニメーションのキャラクタ、動物、植物、その他の生物及び架空の生物等のいずれかを模した形状を有し、電話機能の他に付帯機能を具備した携帯電話、ＰＨＳ等の携帯用通信機器用カバーであって、該カバーにおける顔や体を構成する部位と付帯機能に必要な構成部品の位置とを対応して配置したことを特徴とする。
【００１１】
請求項５に記載の発明は、アニメーションのキャラクタ、動物、植物、その他の生物及び架空の生物等のいずれかを模した形状を有し、電話機能の他に付帯機能を具備した携帯電話、ＰＨＳ等の携帯用通信機器用シールであって、該シールにおける顔や体を構成する部位と付帯機能に必要な構成部品の位置とを対応して配置したことを特徴とする。
【００１２】
請求項６に記載の発明は、電話機能の他に付帯機能を具備した携帯電話、ＰＨＳ等の携帯用通信機器であって、アニメーションのキャラクタ、動物、植物、その他の生物及び架空の生物等の顔や体を構成する部位に対応できるように、付帯機能を配置したことを特徴とする。
【００１３】
請求項７に記載の発明は、請求項１、請求項２、請求項４及び請求項５に記載の携帯用通信機器において、折りたたんだ状態の両面でアニメーションのキャラクタ、動物、植物、その他の生物及び架空の生物等のいずれかを表現したことを特徴とする。
【００１４】
請求項８に記載の発明は、請求項１、請求項２、請求項４及び請求項５に記載の携帯用通信機器において、折りたたんだ状態でもアニメーションのキャラクタ、動物、植物、その他の生物及び架空の生物等のいずれかを模した形状を表現しており、さらに、表と裏の連続性を有することを特徴とする。
【発明の効果】
【００１５】
請求項１〜請求項６はいずれも携帯用通信機器において、付帯機能に必要な構成部品の内、筐体の外部に露出した部品をアニメーションのキャラクタ、動物、植物、その他の生物及び架空の生物等のいずれかの顔や体等を構成する器官に対応させて配置することにより、アニメーションのキャラクタ、動物、植物、その他の生物及び架空の生物等の特徴またはイメージの低下させることなく、携帯用通信機器の多機能化を実現することができる。
【００１６】
請求項７は携帯用通信機器において、アニメーションのキャラクタ、動物、植物、その他の生物及び架空の生物等のいずれかを模した形状を折りたたんだ状態の両面で表現することにより、より立体感を満喫することができる。
【００１７】
請求項８は携帯用通信機器において、アニメーションのキャラクタ、動物、植物、その他の生物及び架空の生物等のいずれかを模した形状を有し、さらに、表と裏の連続性を有することにより、メールやゲーム等を使用するなど携帯用通信機器を開いている機会の多い人には見た目が良く、周りからの印象も強くなる。
【発明を実施するための最良の形態】
【００１８】
以下に本発明の実施の形態を説明する。
【００１９】
図１は本発明の第１の実施形態である携帯用通信機器を折りたたんだ時のブロック図である。図１において携帯用通信機器を折りたたんだ時の形状が猫の体１となっており、鼻２はカメラ機能のレンズ部、口３は着信やアラームを知らせる発光部、両耳部４は着信音やアラーム音などのスピーカ部、左目５は短距離無線電話同士用の信号発信機（LEDやLDなどによる発光部）、右目６は短距離無線電話同士用の信号受信機（PDや受光管）となっている。このように、各機能部品が猫の体を構成する器官に対応させて配置することにより、猫の顔や体が醜くなったり、イメージが悪くなることなく、これらの機能を配置することができる。また、同様な携帯用通信機器を近づけてメールアドレスを交換すると、動物同士がコミュニケーションしているようで、愛らしく感じられる。
【００２０】
図２は本発明の第２の実施形態である携帯用通信機器のブロック図であり、図１における１０ａ−１０ｂの断面図である。但し、主要部のカメラ機能以外は省略している。図２において、携帯用通信機の表面２１の内、鼻部２３は隆起しており、この隆起しているところにカメラ機能２２が納められている。このように、携帯用通信機器の形状に凸部を設け、付帯機能に必要な構成部品を該凸部に納めることにより、スペース的にもメリットがあるほか、プリント基板についてはカメラ機能部を避けずに平坦化も可能なので、設計の自由度が増すことができる。
【００２１】
図３は本発明を実施する前の携帯用通信機器のブロック図であり、図４は本発明の第３の実施形態である携帯用通信機器のブロック図である。図３における携帯用通信機器３１にはカメラ機能３２、着信やアラームを知らせる発光部３３を有しており、該カメラのレンズ部３２に鼻４２を、着信やアラームを知らせる発光部３３に口４３が位置するように虎の絵を描く。このことにより、虎の顔が醜くなったり、イメージが悪くなることなく、虎を描くことができる。
【００２２】
図５は本発明の第４の実施形態である携帯用通信機器（図３）用のカバーのブロック図である。ここで、図５（ａ）は該カバーの正面図、図５（ｂ）は５０ａ−５０ｂの断面図である。図５において、カバー５１はプラスチックまたは金属で形成されており、カメラ機能３２に対応した鼻部５２にはカメラレンズ径相当の穴が開いており、また、着信やアラームを知らせる発光部３３に対応した口部５３には穴が開いているか、または、透明板が貼ってある。このことにより、虎の顔が醜くなったり、イメージが悪くなることなく、虎の形状またはデザインにすることができる。さらに、カバーは自由に交換することもできるので、キャラクタの好みに合わせて変えることができる。
【００２３】
図６は本発明の第５の実施形態である携帯用通信機器（図３）用のシールの図である。図６において、カメラ機能３２に対応した鼻部６２にはカメラレンズ径相当の穴が開いており、また、着信やアラームを知らせる発光部３３に対応した口部６３には穴が開いているか、または、透明になっている。このことにより、虎の顔が醜くなったり、イメージが悪くなることなく、虎のデザインにすることができる。さらに、シールは自由に交換することもできるので、キャラクタの好みに合わせて変えることができる。
【００２４】
図７は本発明の第６の実施形態である携帯用通信機器を折りたたんだ時のブロック図である。図６において、携帯用通信機器７１はカメラ機能のレンズ部７２、着信やアラームを知らせる発光部７３、着信音やアラーム音などのスピーカ部７４、短距離無線電話同士用の信号発信機（LEDやLDなどによる発光部）７５、短距離無線電話同士用の信号受信機（PDや受光管）７６より構成されている。これらの各機能部品はアニメーションのキャラクタ、動物、植物、その他の生物及び架空の生物等のいずれかの形状を考慮して配置しておく。このことにより、アニメーションのキャラクタ、動物、植物、その他の生物及び架空の生物等のいずれかを模した形状を容易に表現することができる。にさらに、これらの配置を規格化しておくことにより、キャラクタ、動物、植物、その他の生物及び架空の生物等の形状またはデザインのカバーやシール等を変更したり、交換したりすることができる。さらには、携帯用通信機器の機種を変更しても使用中のカバーを継続して使用することもできる。
【００２５】
図８は本発明の第７の実施形態である携帯用通信機器のブロック図である。図８において、携帯用通信機器８１の表側８４はカメラ機能のレンズ部８２、着信やアラームを知らせる発光部８３より構成されており、その裏側８５には立体的な像の裏側が表現されている。このことにより、折りたたんだ状態では表側と裏側により、猫の立体像が表現され、リアリティーを強調することができる。
【００２６】
図９は本発明の第８の実施形態であるシール及び携帯用通信機器のブロック図である。ここで、図９（ａ）は該携帯用通信機器を閉じた状態、図９（ｂ）は該携帯用通信機器を開いた状態を示している。図９において、携帯用通信機器９１はカメラ機能のレンズ部９２、着信やアラームを知らせる発光部９３より構成されている。該携帯用通信機器９１の片側９３には兎の上半身が表現されており、残りの片側９４には兎の下半身が表現されている。このことにより、メールやゲーム等を使用するなど携帯用通信機器を開いている時は、見た目が良く、周りからの印象も強くなる。
【図面の簡単な説明】
【００２７】
【図１】本発明の実施例１を示すブロック図
【図２】本発明の実施例２を示す断面図
【図３】従来の携帯用通信機器を示す図
【図４】本発明の実施例４を示すブロック図
【図５】本発明の実施例５を示すブロック図及び断面図
【図６】本発明の実施例６を示す図
【図７】本発明の実施例７を示すブロック図
【図８】本発明の実施例８を示すブロック図
【図９】本発明の実施例８を示すブロック図
【符号の説明】
【００２８】
１１、３１、４１、７１  携帯用通信機器
１２、２２、３３、４２、７２、８２  カメラ機能部
１３、３３、４３、７３，８３  着信やアラームを知らせる発光部
１４、７４  着信音やアラーム音などのスピーカ部
１５、７５  短距離無線電話同士用の信号発信機
１６、７６  短距離無線電話同士用の信号受信機
【図１】
2005101718.tif 000003
【図２】
2005101718.tif 000004
【図３】
2005101718.tif 000005
【図４】
2005101718.tif 000006
【図５】
2005101718.tif 000007
【図６】
2005101718.tif 000008
【図７】
2005101718.tif 000009
【図８】
2005101718.tif 000010
【図９】
2005101718.tif 000011